(57)【特許請求の範囲】
【請求項１】
伝送方向が反対で対をなす上り方向と下り方向のコネクション上に、端末または他通信網が接続された終端ノード装置と、この終端ノード装置間を中継する中間ノード装置とが配置され、コネクション障害を検出したときに代替コネクションを設定する手段を備えたＡＴＭ通信網におけるセル選択廃棄方法であって、中間ノード装置間で下りのコネクション障害が発生した場合に、発生した障害の上流に位置する中間ノード装置が、下流から入力された主信号セルのヘッダより入力セルの属するコネクションの故障コネクション情報を検出した時に、上流から入力されたセルの内の故障コネクションを通過するセルを選択廃棄することを特徴とするＡＴＭ通信網におけるセル選択廃棄方法。
【請求項２】
前記故障コネクション情報は、発生した障害の下流に位置する中間ノード装置が送信したＡＩＳ（Ａｌａｒｍ  Ｉｎｄｉｃａｔｉｏｎ  Ｓｉｇｎａｌ）セルに対して、最下流の終端ノード装置から折り返し送信されたＲＤＩ（Ｒｅｍｏｔｅ  Ｄｅｆｅｃｔ  Ｉｎｄｉｃａｔｉｏｎ）セルであることを特徴とする請求項１記載のＡＴＭ通信網におけるセル選択廃棄方法。
【請求項３】
前記発生した障害の上流に位置する中間ノード装置は、故障コネクションテーブルを具備し、受け付けた前記故障コネクション情報が前記故障コネクションテーブルに存在するか否かの判定を行い、登録されている場合には選択廃棄し、登録されていない場合には、前記故障コネクションテーブルの空きＣＡＭアドレスを取得し、取得したアドレスに当該故障コネクション情報を登録することを特徴とする請求項１又は２記載のＡＴＭ通信網におけるセル選択廃棄方法。
【請求項４】
伝送方向が反対で対をなす上り方向と下り方向のコネクション上に、端末または他通信網が接続された終端ノード装置と、この終端ノード装置間を中継する中間ノード装置とが配置され、コネクション障害を検出したときに代替コネクションを設定する手段を備えたＡＴＭ通信網において、中間ノード装置間で下り方向のコネクション障害が発生した場合に、発生した障害の上流に位置する中間ノード装置が、下流から入力された主信号セルのヘッダより故障コネクション情報を検出した時に、上流から入力されたセルの内の故障コネクションを通過するセルを選択廃棄する手段を備えたことを特徴とするＡＴＭ通信網。
【請求項５】
前記故障コネクション情報は、発生した障害の下流に位置する中間ノード装置が送信したＡＩＳセルに対して、最下流の終端ノード装置から折り返し送信されたＲＤＩセルであることを特徴とする請求項４記載のＡＴＭ通信網。
【請求項６】
前記選択廃棄する手段は、故障コネクションテーブルを具備し、受け付けた前記故障コネクション情報が前記故障コネクションテーブルに存在するか否かの判定を行い、登録されている場合には選択廃棄し、登録されていない場合には、前記故障コネクションテーブルの空きＣＡＭアドレスを取得し、取得したアドレスに当該故障コネクション情報を登録することを特徴とする請求項４又は５記載のＡＴＭ通信網。
【発明の詳細な説明】
【０００１】
【発明の属する技術分野】
本発明はＡＴＭ通信網におけるセル選択廃棄方法に関し、特に回線障害が発生してから障害対策が実施されるまでの時間に、故障コネクションを通過する上流から入力される無効なセルがノード装置のセルバッファ内に滞留することを防止するＡＴＭ通信網におけるセル選択廃棄方法に関する。
【０００２】
【従来の技術】
ＡＴＭ（Ａｓｙｎｃｈｒｏｎｏｕｓ  Ｔｒａｎｓｆｅｒ  Ｍｏｄｅ：非同期転送モード）による広帯域通信ネットワークにおける障害の検出／通知方式として、ＡＩＳ（Ａｌａｒｍ  Ｉｎｄｉｃａｔｉｏｎ  Ｓｉｇｎａｌ）／ＲＤＩ（Ｒｅｍｏｔｅ  Ｄｅｆｅｃｔ  Ｉｎｄｉｃａｔｉｏｎ）方式が広く知られている。このＡＩＳ／ＲＤＩ方式では、ネットワークにおいて回線故障等の障害が発生すると、網とユーザ装置との間のインターフェース（ＵＮＩ：Ｕｓｅｒ  Ｎｅｔｗｏｒｋ  Ｉｎｔｅｒｆａｃｅ）または網間のインターフェース（ＮＮＩ：Ｎｅｔｗｏｒｋ  Ｎｏｄｅ  Ｉｎｔｅｒｆａｃｅ）に面したノード装置（以下、終端ノード装置と呼ぶ）が、障害発生を通知したＡＩＳ／ＲＤＩ信号の検出と折り返し送信を行うとともに、終端ノード装置に接続されている監視制御装置へ障害の発生を通知する。障害通知を受けた監視制御装置では、終端ノード装置にて検出された障害情報に基づいて、障害箇所の特定、切り離しおよび迂回経路の設定などの障害対策を行うようにしている。
【０００３】
図４は、伝送路障害発生時のＡＩＳセルの発生、ＲＤＩセルの折り返しによる障害情報の通知手順、迂回経路の設定および障害箇所の切り離し手順を説明するための図である。
【０００４】
図４によると、端末または他通信網が接続される２つの終端ノード装置１−ａと１−ｅとが、この終端ノード装置間に中継配置された３つの中間ノード装置１−ｂ〜１−ｄ、およびこれらのノード装置間を接続する主信号伝送路２−ａ〜２−ｄを介して通信を行っている。また、終端ノード装置１−ａと１−ｅには、図示しない制御系通信路を介して監視制御装置が接続されている。
【０００５】
以下の説明において、信号の送信元となる終端ノード装置（例えば１−ａ）から信号送信先となる終端ノード装置（例えば１−ｅ）に向かう信号の流れを「下り方向」、その反対方向の信号の流れを「上り方向」とし、各方向において、信号の送出元に近い側を「上流」、信号の送信先に近い側を「下流」と定義する。
【０００６】
いま、伝送路障害が故障点４で発生した場合の通知手順について説明する。まず、故障点４の下流に位置するノード装置１−ｄは、伝送路障害を検出するとＡＩＳセルを下流に向けて送信する。
【０００７】
終端ノード装置であるノード装置１−ｅは、ＡＩＳセルを終端し検出すると、ＡＩＳセルにより通知された障害情報を監視制御装置に通知し、同時に、ＲＤＩセルを逆方向の上流に向けて送信する。
【０００８】
セクションの最も上流に位置する終端ノード装置であるノード装置１−ａは、ＲＤＩセルを検出すると、ＲＤＩセルにより通知された障害情報を図示しない監視制御装置に通知する。
【０００９】
そして、監視制御装置では、各終端ノード装置からのＡＩＳセル、ＲＤＩセルによる障害情報に基づいて、下り方向で伝送路障害が発生したことを認識すると、例えば、迂回経路のコネクション３−ｂを設定し、伝送路障害の発生しているコネクション３−ａを削除する。
【００１０】
このように、２つの終端ノード装置の間に中継配置された中間ノード装置間の接続伝送路で障害が発生した場合には、受信側の中間ノード装置で発生したＡＩＳセルを検出した最下流に位置する終端ノード装置が監視制御装置に通知し、さらに、この終端ノード装置で折り返し発生されたＲＤＩセルを検出した最上流に位置する終端ノード装置が監視制御装置に通知した時点から、障害箇所の特定、切り離しおよび迂回経路の設定などの障害対策が行われる。
【００１１】
したがって、伝送路障害が発生してから監視制御装置が迂回経路を設定し、故障コネクション３−ａを削除するまでの間は、故障点４よりも上流のノード装置１−ａ〜１−ｃには故障点４を通過する故障コネクション３−ａの無効なセルが入力し続けるという問題がある。
【００１２】
また、ノード装置１−ｂ〜１−ｃには故障点４を経由する伝送路障害の発生しているコネクション３−ａだけではなく、伝送路上に何の障害も発生していないコネクション３−ｃも伝送されているので、伝送路障害により無効となったコネクション３−ａのセルがノード装置１−ｂ〜１−ｃのセルバッファを占有したり、主信号伝送路２−ｂの上り方向の出力リンク帯域を占有しているため、正常なコネクション３−ｃが使用可能な網リソースが減少してしまい、網リソースの有効利用が損なわれるという問題がある。
【００１３】
【発明が解決しようとする課題】
上述した従来のＡＴＭ通信網は、伝送路障害が発生した場合には、監視制御装置が迂回経路を設定して故障コネクションを削除するまでに無効なセルがノード装置のセルバッファに滞留するため、セルバッファの使用効率が低下するとともに、下流へ無効なセルが流出するなどの欠点がある。
【００１４】
本発明の目的は、このような従来の欠点を除去するため、伝送路障害を通知するＲＤＩセルを受信した時点で故障コネクションを検出し、故障コネクションを通過するセルを選択廃棄することにより、セルバッファの有効利用を高めることを可能とするＡＴＭ通信網におけるセル選択廃棄方法を提供することにある。
【００１５】
【課題を解決するための手段】
本発明のＡＴＭ通信網におけるセル選択廃棄方法は、伝送方向が反対で対をなす上り方向と下り方向のコネクション上に、端末または他通信網が接続された終端ノード装置と、この終端ノード装置間を中継する中間ノード装置とが配置され、コネクション障害を検出したときに代替コネクションを設定する手段を備えたＡＴＭ通信網におけるセル選択廃棄方法であって、中間ノード装置間で下りのコネクション障害が発生した場合に、発生した障害の上流に位置する中間ノード装置が、下流から入力された主信号セルのヘッダより入力セルの属するコネクションの故障コネクション情報を検出した時に、上流から入力されたセルの内の故障コネクションを通過するセルを選択廃棄することを特徴としている。
【００１６】
また、前記故障コネクション情報は、発生した障害の下流に位置する中間ノード装置が送信したＡＩＳ（Ａｌａｒｍ  Ｉｎｄｉｃａｔｉｏｎ  Ｓｉｇｎａｌ）セルに対して、最下流の終端ノード装置から折り返し送信されたＲＤＩ（Ｒｅｍｏｔｅ  Ｄｅｆｅｃｔ  Ｉｎｄｉｃａｔｉｏｎ）セルであることを特徴としている。
【００１７】
また、前記発生した障害の上流に位置する中間ノード装置は、故障コネクションテーブルを具備し、受け付けた前記故障コネクション情報が前記故障コネクションテーブルに存在するか否かの判定を行い、登録されている場合には選択廃棄し、登録されていない場合には、前記故障コネクションテーブルの空きＣＡＭアドレスを取得し、取得したアドレスに当該故障コネクション情報を登録することを特徴としている。
【００１８】
また、本発明のＡＴＭ通信網は、伝送方向が反対で対をなす上り方向と下り方向のコネクション上に、端末または他通信網が接続された終端ノード装置と、この終端ノード装置間を中継する中間ノード装置とが配置され、コネクション障害を検出したときに代替コネクションを設定する手段を備えたＡＴＭ通信網において、中間ノード装置間で下り方向のコネクション障害が発生した場合に、発生した障害の上流に位置する中間ノード装置が、下流から入力された主信号セルのヘッダより故障コネクション情報を検出した時に、上流から入力されたセルの内の故障コネクションを通過するセルを選択廃棄する手段を備えたことを特徴としている。
【００１９】
また、前記故障コネクション情報は、発生した障害の下流に位置する中間ノード装置が送信したＡＩＳセルに対して、最下流の終端ノード装置から折り返し送信されたＲＤＩセルであることを特徴としている。
【００２０】
また、前記選択廃棄する手段は、故障コネクションテーブルを具備し、受け付けた前記故障コネクション情報が前記故障コネクションテーブルに存在するか否かの判定を行い、登録されている場合には選択廃棄し、登録されていない場合には、前記故障コネクションテーブルの空きＣＡＭアドレスを取得し、取得したアドレスに当該故障コネクション情報を登録することを特徴としている。
【００２１】
【発明の実施の形態】
次に、本発明の実施の形態について図面を参照して説明する。
【００２２】
まず、伝送路障害が発生した時のＡＩＳセルの発生およびＲＤＩセルの折り返しによる障害情報の通知手順について説明する。図１は、伝送路障害発生時のＡＩＳセルの発生、ＲＤＩセルの折り返しによる障害情報の通知手順を説明するための図である。
【００２３】
図１を参照すると、端末または他通信網が接続される２つの終端ノード装置であるノード装置１−ａと１−ｅとが、この終端ノード装置間に中継配置された３つのノード装置１−ｂ〜１−ｄ、およびこれらのノード装置間を接続する主信号伝送路２−ａ〜２−ｄを介して通信を行っている。
【００２４】
いま、伝送路障害が故障点４で発生した場合、故障点４の下流に位置するノード装置１−ｄは、伝送路障害を検出してＡＩＳセルを発生し、下流に向けてＡＩＳセルを送信する。終端ノード装置であるノード装置１−ｅは、ＡＩＳセルを検出すると、ＡＩＳセルにより通知された障害情報を図示しない監視制御装置に通知し、同時に、ＲＤＩセルを生成し上流に向けて送信する。最上流に位置する終端ノード装置であるノード装置１−ａは、ＲＤＩセルを検出すると、ＲＤＩセルにより通知された障害情報を監視制御装置に通知する。監視制御装置は、各終端ノード装置からの障害情報をもとに、下り方向で伝送路障害が発生したことを認識し、迂回経路のコネクションを設定するとともに、伝送路障害の発生しているコネクション３−ａを削除するなどの障害回避処置を行う。
【００２５】
次に、中間配置されたノード装置の動作について説明する。図２は、図１に示す本実施の形態のＡＴＭ通信網におけるノード装置の構成を示すブロック図である。図２では、簡単にするため、主信号伝送路２およびＳＷ伝送路１１をそれぞれ１本の線で示してあるが、実際の装置では主信号伝送路２およびＳＷ伝送路１１は上り／下り１対の回線（入力回線と出力回線）からなっている。
【００２６】
図２によると、ノード装置は、ＩＦ部１０、ＳＷ部１２および制御部１４とより構成されている。
【００２７】
まず、ＩＦ部１０（１０−ａ〜１０−ｎ）は、各主信号伝送路２の入力回線から入力した主信号であるユーザ情報用のセル（ユーザセル）を、内蔵する回線インタフェース回路で受信し、ＳＷ伝送路１１（１１−ａ〜１１−ｎ）の入力回線を介してＳＷ部１２へ出力する。
【００２８】
ＳＷ部１２は、入力されたセルをセルヘッダに含まれるルーティング情報で特定される何れかのＳＷ伝送路１１の出力回線に振り分け、ＩＦ部１０へ折り返す。
【００２９】
ＩＦ部１０は、折り返し入力されたセルを回線インタフェース回路を介して何れかの主信号伝送路２の出力回線へ出力する。
【００３０】
制御部１４は、ＩＦ部１０およびＳＷ部１２のそれぞれとの間で、運用設定および警報収集などを行う制御信号１３で接続されており、図示しない外部の監視制御装置との間で制御系通信路５を介して、設定、管理情報の送受信を行う。
【００３１】
続いて、ＩＦ部の動作について説明する。図３は、図２に示すＩＦ部の構成例を示すブロック図である。
【００３２】
図３によると、ＩＦ部１０は、物理レイヤ処理部１０１、ＡＴＭレイヤ処理部１０２、制御インタフェース１０３およびセル選択廃棄処理部１０４より構成されている。
【００３３】
まず、物理レイヤ処理部１０１は、主信号伝送路２の入力回線から入力したセルを受信し、物理レイヤの終端処理を行った後、セル選択廃棄処理部１０４へ出力する。
【００３４】
セル選択廃棄処理部１０４は、物理レイヤ処理部１０１から入力されたセルがユーザセルの場合、セルのヘッダ情報より入力セルの属するコネクションのコネクション情報を取得し、セル選択廃棄処理部１０４に具備された、図５に示す故障コネクションテーブル２１の情報に登録されているか否かの判定を行い、登録されている場合には選択廃棄するとともに、通過の処理を行う。
【００３５】
ＡＴＭレイヤ処理部１０２は、制御インタフェース部１０３を介して制御部１４より受け取るヘッダ変換情報に基づき、セル選択廃棄処理部１０４から入力されたセルのヘッダ情報を変換する。また、ヘッダ変換したセルをＡＩＳ、ＲＤＩ処理などのＡＴＭレイヤ処理した後に、ＳＷ伝送路１１の入力回線を介してＳＷ部１２へ出力する。この際に、ＳＷ部１２で必要とされるルーティング情報が内部ヘッダ情報として付加される。ＳＷ部１２では、ルーティングした後にＳＷ伝送路１１の出力回線から再びＩＦ部１０へ出力する。
【００３６】
ＡＴＭレイヤ処理部１０２は、ＳＷ伝送路１１の出力回線から入力したセルを、内部ヘッダ除去等のＡＴＭレイヤ処理を行った後、セル選択廃棄処理部１０４へ出力する。
【００３７】
セル選択廃棄処理部１０４は、ＡＴＭレイヤ処理部１０２からの入力セルがＲＤＩセルの場合、ＲＤＩセルのＶＰＩ（Ｖｉｒｔｕａｌ  Ｐａｔｈ  Ｉｄｅｎｔｉｆｉｅｒ；仮想パス識別子）、ＶＣＩ（Ｖｉｒｔｕａｌ  Ｃｈａｎｎｅｌ  Ｉｄｅｎｔｉｆｉｅｒ；仮想チャネル識別子）のコネクション情報を抽出し、ＡＴＭレイヤ処理部１０２へ制御線１０５を介して送信し、入力したセルを物理レイヤ処理部１０１へ出力する。また、セル選択廃棄処理部１０４は、ＡＴＭレイヤ処理部１０２から制御線１０５を介して受信した故障コネクション情報を用いて、図５に示す故障コネクションテーブル２１の更新を行う。
【００３８】
物理レイヤ処理部１０１は、セル選択廃棄処理部１０４から受信したセルを伝送信号に変換し、主信号伝送路２の出力回線へ出力する。
【００３９】
制御インタフェース部１０３は、制御信号１３を介して入力される制御部１４からの運用情報および回線情報の設定や警報などの制御情報を物理レイヤ処理部１０１、セル選択廃棄処理部１０４およびＡＴＭレイヤ処理部１０２の各機能ブロックへ出力すると共に、各機能ブロックからの制御情報、監視情報を制御信号１３を介して制御部１４へ出力する。
【００４０】
したがって、ＡＴＭノード装置は、入力されたセルがユーザセルの場合、セルのヘッダ情報より入力セルの属するコネクションのコネクション情報を取得し、セル選択廃棄処理部１０４に具備された故障コネクションテーブル２１の情報に登録されているか否かの判定を行い、登録されている場合には、選択廃棄することにより、無効なセルが自ノード装置のセルバッファに滞留することを防止し、また、下流のノード装置へ故障コネクションのセルが流出することを防止することができる。
【００４１】
次に、ＡＴＭノード装置におけるセル選択廃棄の動作について説明する。
【００４２】
以下の説明では、中継点であるノード装置１−ｂに対して適用した場合である。また、各ノード装置１に設定されているコネクション１−ａ〜１−ｅは、双方向で設定されるものとし、あるコネクションと対をなすコネクションを対向コネクションと呼ぶ。また、双方向コネクションについて、あるコネクションをＣＮｘ、その対向コネクションをＣＮｙとすると、ＣＮｘの入力するＩＦ部１０とＣＮｙの出力するＩＦ部１０は同一であり、ＣＮｘの出力するＩＦ部１０とＣＮｙの入力するＩＦ部１０は同一であるものとする。また、以下の説明においてＲＤＩセルの属するコネクションのＶＰＩ／ＶＣＩをＶＰＩａ／ＶＣＩａとする。また、ＲＤＩセルの属するコネクションに対する対向コネクションのＶＰＩ／ＶＣＩをＶＰＩｂ／ＶＣＩｂとする。
【００４３】
まず、ＩＦ部１０の物理レイヤ処理部１０１は、主信号を主信号伝送路２の入力回線から受信し、物理レイヤの終端処理を行った後にセル選択廃棄処理部１０４へ出力する。
【００４４】
セル選択廃棄処理部１０４は、物理レイヤ処理部１０１から入力されたセルがユーザセルの場合、入力セルの属するコネクションのコネクション情報ＶＰＩ／ＶＣＩをセルのヘッダ情報より取得し、取得したコネクション情報ＶＰＩ／ＶＣＩをサーチキーとして、入力セルの属するコネクションが、故障コネクションテーブル２１に登録されているかどうかを判定する。この故障コネクションテーブル２１は、セル選択廃棄処理部１０４に具備され、図５に示すようにＣＡＭ構造であるため、コネクション情報ＶＰＩ／ＶＣＩをサーチキーとしてＣＡＭの検索が容易に行われる。
【００４５】
また、セル選択廃棄処理部１０４は、入力セルの属するコネクションが故障コネクションテーブル２１に登録されている場合には、該当セルを廃棄し空きセルをＡＴＭレイヤ処理部１０２へ出力し、入力セルの属するコネクションが故障コネクションテーブル２１に登録されていない場合には、入力セルをＡＴＭレイヤ処理部１０２へ出力する。
【００４６】
ＡＴＭレイヤ処理部１０２は、制御部１４で設定されているヘッダ変換情報に基づいてセルのヘッダ情報を変換し、ＡＩＳ、ＲＤＩ処理を行ったのち、ＳＷ伝送路１１の入力回線を介してＳＷ部１２へ出力する。また、ＡＴＭレイヤ処理部１０２は、ＳＷ部１２で必要とされるルーティング情報を内部ヘッダ情報として付加する。
【００４７】
ＳＷ部１２は、セルヘッダに含まれるルーティング情報に基づいて、ＳＷ伝送路１１の出力回線に振り分け、ＳＷ伝送路１１の接続されているＩＦ部１０へ折り返し出力する。
【００４８】
ＡＴＭレイヤ処理部１０２は、ＳＷ伝送路１１の出力回線からセルを受信し、内部ヘッダ除去、出力ＶＰＩ／ＶＣＩへの付け替え等のＡＴＭレイヤ処理を行い、セルをセル選択廃棄処理部１０４へ出力する。
【００４９】
セル選択廃棄処理部１０４は、ＡＴＭレイヤ処理部１０２から入力するセルがＲＤＩセルかどうかを判定する。入力セルがＲＤＩセルの場合、ＲＤＩセルのコネクション情報ＶＰＩａ／ＶＣＩａを抽出し、ＡＴＭレイヤ処理部１０２へ制御線１０５を介して出力する。
【００５０】
ＡＴＭレイヤ処理部１０２は、セル選択廃棄処理部１０４から受信したＲＤＩセルの属するコネクションのコネクション情報ＶＰＩａ／ＶＣＩａをサーチキーとして、ＡＴＭレイヤ処理部に具備された、図６に示す対向コネクションテーブル３１を検索し、対向コネクションのコネクション情報ＶＰＩｂ／ＶＣＩｂを得て、セル選択廃棄処理部に制御線１０５を介して出力する。なお、対向コネクションテーブル３１は、ＡＴＭレイヤ処理部１０２におけるＡＩＳ、ＲＤＩ処理を行うために必要とされるテーブルである。
【００５１】
セル選択廃棄処理部１０４は、ＡＴＭレイヤ処理部１０２より制御線１０５を介して入力された故障コネクション情報ＶＰＩｂ／ＶＣＩｂをサーチキーとして、図５に示す故障コネクションテーブル２１を検索する。故障コネクションテーブル２１に該当する故障コネクションが登録されている場合には故障コネクションテーブル２１に対して更新処理は行わない。故障コネクションテーブル２１に該当する故障コネクションが登録されていない場合には、図５に示す空きアドレス管理テーブル２２より故障コネクションテーブル２１の空きＣＡＭアドレスを取得し、取得したアドレスに故障コネクション情報ＶＰＩｂ／ＶＣＩｂを登録する。
【００５２】
物理レイヤ処理部１０２は、セル選択廃棄処理部１０４から出力されたセルを伝送信号に変換し、主信号伝送路２の出力回線へ出力する。
【００５３】
一方で、各終端ノード装置からの障害情報を受け取った監視制御装置は、障害箇所の切り離しおよび迂回経路の設定として、図４に示すように、迂回コネクション３−ｂを設定した後に故障コネクション３−ａの削除を行う。
【００５４】
故障コネクション３−ａが削除されたことにより、ＡＴＭレイヤ処理部１０２は、制御部１４からＩＦ部１０へ入力される、コネクション３−ａの削除情報により、具備する対向コネクションテーブル３１からコネクション３−ａおよびその対向コネクションの情報を削除する。
【００５５】
また、セル選択廃棄処理部１０４では、具備する故障コネクションテーブル２１から故障コネクション３−ａの情報を削除する。故障コネクション３−ａの情報の削除は、故障コネクションテーブル２１において故障コネクションの情報を記録してあるＣＡＭアドレスのデータ（ＶＰＩｂ／ＶＣＩｂ）にＡＬＬ“０”を書き込むことにより行われる。削除を行ったＣＡＭアドレスは、空きアドレス管理部２２に通知されて、次にＣＡＭデータを登録する場合に使用可能な空きＣＡＭアドレスとして再利用が可能となる。
【００５６】
【発明の効果】
以上説明したように、ＡＴＭ通信網におけるセル選択廃棄方法によれば、発生した伝送路障害の上流に位置する中間ノード装置が、下流から入力された主信号セルのヘッダより故障コネクション情報を検出した時に、上流から入力されたセルの内の故障コネクションを通過するセルを選択廃棄することにより、障害発生から障害対策実施までの時間において、ノード装置のセルバッファに無効なセルが滞留することを防止し、使用効率が高くなるという効果がある。
【図面の簡単な説明】
【図１】伝送路障害発生時のＡＩＳセルの発生、ＲＤＩセルの折り返しによる障害情報の通知手順を説明するための図である。
【図２】図１に示す本実施の形態のＡＴＭ通信網におけるノード装置の構成を示すブロック図である。
【図３】図２に示すＩＦ部の構成例を示すブロック図である。
【図４】伝送路障害発生時のＡＩＳセルの発生、ＲＤＩセルの折り返しによる障害情報の通知手順、迂回経路の設定および障害箇所の切り離し手順を説明するための図である。
【図５】故障コネクションテーブルの構成を示す図である。
【図６】対向コネクションテーブルの構成を示す図である。
【符号の説明】
１    ノード装置
２    主信号伝送路
３    コネクション
５    制御系通信路
１０    ＩＦ部
１１    ＳＷ伝送路
１２    ＳＷ部
１３    制御信号
１４    制御部
２１    故障コネクションテーブル
２２    空きアドレス管理部
３１    対向コネクションテーブル
１０１    物理レイヤ処理部
１０２    ＡＴＭレイヤ処理部
１０３    制御インタフェース部
１０４    セル選択廃棄処理部
【図１】
0003575449.tif 000002
【図２】
0003575449.tif 000003
【図３】
0003575449.tif 000004
【図４】
0003575449.tif 000005
【図５】
0003575449.tif 000006
【図６】
0003575449.tif 000007